(57)【要約】  本発明は歯ブラシに関し、詳しくは、堅固な固体棒である歯ブラシ棒をハンドルにして一側に柔らかいブラシ刷毛を植えて歯を磨く歯ブラシにおいて、歯の上下底面の２ヶ所、上左側面、上右側面の２ヶ所、下左側面、下右側面の２ヶ所などの６面全体を同時に磨くことができ、また、使用者が手に握る単一動作によって作動して容易に磨くことができる歯ブラシに関する。
2017530812.tif 000002
【特許請求の範囲】
【請求項１】
堅固な固体棒の歯ブラシ棒をハンドルにして柔らかいブラシ刷毛を植えて歯を磨く歯ブラシにおいて、
歯の上下底面、上左、右面、下左、右面などの６面を同時に磨くことができるように、歯の上下底を同時に磨く上方向ブラシ刷毛（１２ａ）と下方向ブラシ刷毛（１２ｂ）が互いに反対側の上下底に植えられた中間歯ブラシ（１１）と、
前記中間歯ブラシ（１１）を中心に中間歯ブラシ刷毛（１２ａ、１２ｂ）及び中間歯ブラシの中心線に対して直角に配置され、直角に広がる歯の両側面の中の一方の上下側歯側面を磨く左歯ブラシ（２１ａ）と、
前記左歯ブラシの反対側面である他方の上下側歯側面を磨く右歯ブラシ（２１ｂ）と、
前記中間歯ブラシ、前記左歯ブラシ及び前記右歯ブラシの３ヶ所の歯ブラシを一つに結合して作動するようにする結束手段とを備えることを特徴とする歯ブラシ。
【請求項２】
前記結束手段はヒンジで構成されることを特徴とする請求項１に記載の歯ブラシ。
【請求項３】
前記結束手段は連結棒（リンク）とヒンジで構成されることを特徴とする請求項１に記載の歯ブラシ。
【請求項４】
前記左歯ブラシと前記右歯ブラシは前記中間歯ブラシから弾性的に広がる（或いは閉じられる）ように弾性スプリング（スプリング、ゴム）をさらに備えることを特徴とする請求項１に記載の歯ブラシ。
【請求項５】
前記左歯ブラシと前記右歯ブラシは前記中間歯ブラシから同じ角度で広がったり閉じられたりするようにしながら、同時に所定角度以上広がらないようにするギアをさらに備えることを特徴とする請求項１に記載の歯ブラシ。
【請求項６】
前記中間歯ブラシと前記左歯ブラシ及び前記右歯ブラシが作動過程で相互干渉余裕をさらに有するようにする前記中間歯ブラシには前記左歯ブラシ及び前記右歯ブラシ及びそのブラシ刷毛が近付く部位に凹設された余裕溝（１２０ａ、１２０ｂ、１１０ａ、１１０ｂ）をさらに備えることを特徴とする請求項１に記載の歯ブラシ。
【請求項７】
前記中間歯ブラシまたは前記左歯ブラシ及び前記右歯ブラシには少なくとも１ヶ所以上に通常の振動装置（１８０）（通常の振動モーター及びモーターまたはバッテリーまたは電子回路または充電器などを少なくとも一つ以上利用する装置）をさらに備えることを特徴とする請求項１に記載の歯ブラシ。
【請求項８】
前記中間歯ブラシと前記左歯ブラシ及び前記右歯ブラシは中間歯ブラシハンドルと分離可能に前記中間歯ブラシの下端にはシャフト結合具を設置して中間歯ブラシハンドルシャフトと互いに分離、結合することができるようにし、前記左歯ブラシ及び前記右歯ブラシの下端にはヒンジシャフトを設置し、前記中間歯ブラシハンドルの一側にはアーチ型結合レール溝を形成して互いに分離、結合することができるようにすることを特徴とする請求項１または７に記載の歯ブラシ。
【請求項９】
前記中間歯ブラシと前記左歯ブラシ及び前記右歯ブラシは中間歯ブラシハンドルと分離可能で、また分離された歯ブラシ結束体を立てて保管することができるように前記中間歯ブラシの下端にはシャフト結合具を設置して中間歯ブラシハンドルシャフトと互いに分離、結合することができるようにし、前記左歯ブラシ及び前記右歯ブラシの下端をヒンジで結合する結束リングをさらに備えて、歯ブラシ結束体を前記中間歯ブラシハンドルから分離して立てることができるようにすることを特徴とする請求項１または７に記載の歯ブラシ。
【請求項１０】
前記振動装置（１８０）の振動を前記左歯ブラシ及び前記右歯ブラシまたは前記中間歯ブラシに相互伝達するために、中間歯ブラシ棒の一側に振動板をさらに備え、
前記振動板の一側には振動結合溝を形成して、作動時に、前記振動結合溝に前記左歯ブラシ及び前記右歯ブラシの一側が挿入結束されて振動を相互伝達するようにすることを特徴とする請求項７に記載の歯ブラシ。
【請求項１１】
前記中間歯ブラシ、前記左歯ブラシ及び前記右歯ブラシの３ヶ所の歯ブラシを一つに結合作動するようにする結束手段は、スライダーピストンとピストンガイドを備えて一体に結束することができるようにすることを特徴とする請求項１または７に記載の歯ブラシ。
【請求項１２】
前記スライダーピストンの復元に役に立つことができるように、前記スライダーピストンと前記ピストンガイドの内部にはスプリングをさらに備えることを特徴とする請求項１１に記載の歯ブラシ。
【請求項１３】
前記中間歯ブラシと前記左歯ブラシ及び前記右歯ブラシの３ヶ所のハンドル全体を全部分離することができるようにピストンガイドの下端に結束具を設置して中間歯ブラシハンドルの振動シャフトと分離、結合することができるようにすることを特徴とする請求項１１に記載の歯ブラシ。
【請求項１４】
前記中間歯ブラシと前記左歯ブラシ及び前記右歯ブラシの３ヶ所のハンドル全体を全部分離することができるように前記左歯ブラシ及び前記右歯ブラシの下端に結束シャフト（または結束具）を設置して左歯ブラシハンドル及び右歯ブラシハンドルの振動装置の結束具（またはシャフト）と分離、結合することができるようにすることを特徴とする請求項１１に記載の歯ブラシ。
【請求項１５】
前記左歯ブラシと前記右歯ブラシは前記中間歯ブラシから同じ角度で広がったり閉じられたりするように両側を連結する連結棒（リンク）、前記連結棒をヒンジ（４２ａ、４２ｂ）で結束し、中央歯ブラシハンドルの外側でスライドする移送台（４３、４３ａ、４３ｂ）と、前記移送台復元スプリング（３ｅ）をさらに備えることを特徴とする請求項１に記載の歯ブラシ。
【請求項１６】
前記中間歯ブラシの下端部の中間歯ブラシハンドルの内部には、移送台の一側に接するように外部に突出されて、前記移送台の直線運動によって押圧されるスィッチボタンとスィッチ、前記スィッチのオンで作動する振動装置（振動モーター及びバッテリーモジュール、＋、−  電極板など）をさらに備えることを特徴とする請求項１または１５に記載の歯ブラシ。
【請求項１７】
前記中間歯ブラシ（１１）には直角に配置された左ブラシ刷毛及び右ブラシ刷毛と作動接近時に、相互干渉を避けるために、左ブラシ刷毛及び右ブラシ刷毛を保護するための歯ブラシ刷毛禁止区域（１００ｂ）を除いてブラシ刷毛が植えられ、前記左歯ブラシ（２１ａ）及び前記右歯ブラシ（２１ｂ）には、直角に配置された前記中間歯ブラシと作動接近時に相互干渉を避けるために中間ブラシ刷毛を保護するための歯ブラシ刷毛禁止区域（１００ａ）と、中間歯ブラシ棒を保護するためのブラシ刷毛禁止区域（１００ｃ）を除いてブラシ刷毛が植えられることを特徴とする請求項１または７または請求項１５または１６に記載の歯ブラシ。
【発明の詳細な説明】
【技術分野】
【０００１】
本発明は歯ブラシに関し、詳しくは、堅固な固体棒である歯ブラシ棒をハンドルにして一側に柔らかいブラシ刷毛を植えて歯を磨く歯ブラシにおいて、歯の上下底面の２ヶ所、上左側面、上右側面の２ヶ所、下左側面、下右側面の２ヶ所などの６面全体を同時に磨くことができ、また、使用者が手に握る単一動作によって作動して容易に磨くことができる歯ブラシに関する。
【背景技術】
【０００２】
一般に、歯ブラシは手で握りやすい硬い固体歯ブラシ棒の何れか一方向にブラシ刷毛を植えて歯の６面（上下底面、上左側面、上右側面、下左側面、下右側面）を一面ずつ順次に磨かなければならないという繁雑な問題点があった。
【０００３】
これはまた忙しい出勤時間には歯磨きにかなりの時間をかけなければならないという問題点があった。
【０００４】
また、歯磨きをする人の歯ブラシを使用する腕の振る位置、歯に対する歯ブラシの角度によって互いに異なる歯磨き、そして自分も知らずに６面を均一に磨くのではなく、歯磨きを抜いたり少なくしたり、よく歯磨きできない部分などが頻繁に発生するという問題点があった。
【発明の概要】
【発明が解決しようとする課題】
【０００５】
本発明では上記のような問題点を解決するために提案されたもので、歯ブラシの使用者がいつも歯の上下底面、上左側面、上右側面、下左側面、下右側面などの６面全体を同時に磨くことができるようにすることを目的とする。
【０００６】
また、歯ブラシの使用者が意識しないで歯磨きをしても６面を同時に磨いて常に早く磨くことができるようにすることを目的とする。
【０００７】
また、歯ブラシの使用者が歯の６面にそれぞれ意識的に歯ブラシの方向、角度、歯磨き時間配分を調節しなくて６面をそれぞれ正確な角度に配分して同時に磨くようにして無意識的でも正確にもれなく磨くようにすることを目的とする。
【課題を解決するための手段】
【０００８】
本発明の歯ブラシは予め配分された６面を担当する歯ブラシを互いに垂直に近く正確な角度で配置し、これら方向が異なるように配置された６面のブラシ刷毛が相互干渉することなくそれぞれの歯面を使用者が手に握る単一動作によって作動してそれぞれのブラシ刷毛が歯と接触することができるようにして歯磨きをすることができるようにする。
【０００９】
即ち、歯の上下底面、上左側面、右側面、下左側面、右側面などの６面全体を同時に磨くことができるように、中間（上、下）歯ブラシと左（上、下）歯ブラシ、右（上、下）歯ブラシなどそれぞれ２つの歯面を担当する３つの歯ブラシを結束手段を利用して一つに結合して作動するようにする。
【００１０】
即ち、歯７０ａ、７０ｂの上下底面を同時に磨く中間歯ブラシ１１と、前記中間歯ブラシ１１に直角に配置され、直角に広がる歯の一側の上下側歯の側面を磨く左歯ブラシ２１ａと、また他の一側の上側歯の側面を磨く右歯ブラシ２１ｂとで構成し、前記中間歯ブラシ１１、左歯ブラシ２１ａ及び右歯ブラシ２１ｂの３ヶ所の歯ブラシは結束手段を利用して結束されて作動するようにし、前記中間歯ブラシ１１には、直角に配置された左ブラシ刷毛２３ａ及び右ブラシ刷毛２３ｂと作動時に相互干渉を避けるために中間ブラシ刷毛禁止区域１００ｂを除いてブラシ刷毛が植えられ、前記左歯ブラシ２１ａ及び右歯ブラシ２１ｂには、直角に配置された中間歯ブラシと作動時に相互干渉を避けるために左ブラシ刷毛禁止区域１００ａ及び右ブラシ刷毛禁止区域１００ｃを除いてブラシ刷毛が植えられることを特徴とする。
【００１１】
前記結束手段はヒンジ１３ａ、１３ｂで構成することを特徴とする。
【００１２】
前記結束手段は連結棒４１ａ、４１ｂとヒンジ４２ａ、４２ｂをさらに備えることを特徴とする。
【００１３】
また、前記左歯ブラシと右歯ブラシが中間歯ブラシから弾力的に広がる（または閉まる）ように弾性スプリング（スプリング、ゴム）をさらに備えることを特徴とする。
【００１４】
また、前記左歯ブラシと右歯ブラシは中間歯ブラシから同じ角度に広がったり閉じられたりするようにしながら、同時に所定角度以上広がらないようにするギアをさらに備えることを特徴とする。
【００１５】
また、前記中間歯ブラシ１１または左歯ブラシ２１ａ及び右歯ブラシ２１ｂの一側に、少なくとも１ヶ所以上には通常の振動装置１８０（通常の振動モーターとモーターまたはバッテリーまたは電子回路または充電器などを少なくとも一つ以上利用する装置）をさらに備えることを特徴とする。
【００１６】
また、前記中間歯ブラシ１１と左歯ブラシ２１ａ及び右歯ブラシ２１ｂからなる結束体が中間歯ブラシハンドル１、１０ａ、１０ｂ、１０ｃと分離可能に、中間歯ブラシ１１の下端にはシャフト結合具１６を設置して中間歯ブラシハンドルシャフト１８１と互いに分離、結合することができるようにし、左歯ブラシ２１ａ及び右歯ブラシ２１ｂの下端にはヒンジシャフト２４ａ、２４ｂを設置し、中間歯ブラシハンドルの一側にはアーチ型結合レール溝１０１ａ、１０１ｂを形成して、それぞれ挿入して互いに分離、結合することができるようにすることを特徴とする。
【００１７】
また、前記中間歯ブラシ１１と左歯ブラシ２１ａ及び右歯ブラシ２１ｂからなる結束体が中間歯ブラシハンドル１、１０ａ、１０ｂ、１０ｃと分離可能でありながらも、また（分離された歯ブラシ結束体を）立てて保管できるように、中間歯ブラシ１１の下端にはシャフト結合具１６を設置して中間歯ブラシハンドルシャフト１８１と互いに分離、結合することができるようにし、左歯ブラシ２１ａ及び右歯ブラシ２１ｂの下端にはヒンジ５３ａ、５３ｂで結束リング５と結合して一体化し、その結束リングの内部に形成された大きい孔に中間歯ブラシハンドルを挿入したり分離、結合したりすることができるようにして、その結束リング５の最下端が一つの平面になって分離された歯ブラシ結束体を容易に立てて保管することができるようにすることを特徴とする。
【００１８】
また、前記振動装置１８０の振動を左右歯ブラシまたは中間歯ブラシに相互伝達するために、中間歯ブラシ棒の一側に振動板をさらに備え、前記振動板の一側には振動結合溝を形成して、作動時に、前記振動結合溝に左歯ブラシ及び右歯ブラシ棒の一側が挿入結束されて振動を相互伝達するようにすることを特徴とする。
【００１９】
また、前記中間歯ブラシ、左右歯ブラシの３ヶ所の歯ブラシを一つに結合して作動するようにする結束手段としてスライダーピストンとピストンガイドとで構成して一体に結束することを特徴とする。
【００２０】
また、前記中間歯ブラシ、左右歯ブラシの３ヶ所のハンドル全体を全部分離することができるように、ピストンガイドの下端に結束具を設置して中間歯ブラシハンドルの振動シャフトと分離、結合することができるようにすることを特徴とする。
【００２１】
また、前記中間歯ブラシ、左右歯ブラシの３ヶ所のハンドル全体を全部分離することができるように、左歯ブラシ及び右歯ブラシの下端にシャフト（または結束具）を設置して左歯ブラシハンドル及び右歯ブラシハンドルの振動装置結束具（またはシャフト）と分離、結合することができるようにすることを特徴とする。
【００２２】
また、前記スライダーピストンの復元に役に立つことができるように、スライダーピストンとピストンガイドの内部にはスプリングをさらに備えることを特徴とする。
【００２３】
また、前記左歯ブラシと右歯ブラシは中間歯ブラシから同じ角度で広がったり閉じられたりするように左歯ブラシと右歯ブラシの両側を連結する連結棒（リンク）の一方の連結棒（リンク）ヒンジ４２ａ、４２ｂを結束する移送台４３、４３ａ、４３ｂと移送台復元スプリング３ｅをさらに備えることを特徴とする。
【００２４】
また、前記中間歯ブラシハンドルの内部にスィッチとスィッチボタンを設置して使用者の左歯ブラシ及び右歯ブラシを押す操作によって移送台が直線動作する時、その一Ｇ斜面によってスィッチボタンが押されてスィッチをオンにすることを特徴とする。
【発明の効果】
【００２５】
提案したような歯の上下底面、上左側面、上右側面、下左側面、下右側面などの６面全体を同時に磨くことができる歯ブラシによって、使用者は６面を苦労しないで同時に磨くことができるようにするという長所がある。
【００２６】
また、使用者が６面を同時に磨くことによって歯磨き時間を短縮することができ、出勤時間のように時間に追われる場合にも早く歯磨きをすることができるようにするという長所がある。
【００２７】
また、予め配分された６面を担当する歯ブラシを正確な角度に配置し、これらを互いに異なる方向に配置された６面のブラシ刷毛が相互干渉することなくそれぞれの歯の６面全体を使用者が歯ブラシを手に握る単一動作によって歯ブラシが歯と接触することができるようにして、容易に歯磨きをすることができるようにして、無意識的でも正確に歯の６面をそれぞれ漏れなく磨くことができるようにするという長所がある。
【００２８】
また、使用者は本発明の歯ブラシハンドルを手で握って前記左歯ブラシ及び右歯ブラシを指で押すだけで、それによって誘発された移送台４３の直線運動で、その一側斜面にスィッチボタン８０ａが押されてスィッチ８０がオンになって（ＯＮ）電動歯ブラシが作動するようにするという長所がある。
【図面の簡単な説明】
【００２９】
【図１】歯７０ａ、７０ｂの６面全体を同時に磨く本発明による歯ブラシの使用中の斜視図（使用者の手を一点鎖線で表示）である。
【図２】上歯、下歯（上、下歯）の６面を同時に磨く歯ブラシ部の表示図である。
【図３】中間歯ブラシ１１と、左歯ブラシ２１ａ及び右歯ブラシ２１ｂと、結束装置ヒンジ１３ａ、１３ｂとで構成された本発明による歯ブラシ分解図である。
【図４ａ】左歯ブラシ２１ａ及び右歯ブラシ２１ｂと中間歯ブラシ１１がヒンジ１３ａ、１３ｂで結束されて歯ブラシが自然に広がった状態で一部切開した斜視図である。
【図４ｂ】図４ａにおいて手で中間歯ブラシハンドル１を取って左歯ブラシハンドル２ａ及び右歯ブラシハンドル２ｂを指で押して狭めて左歯ブラシ２１ａと右歯ブラシ２１ｂとの間隔がより狭められた状態作動斜視図である。
【図５ａ】左歯ブラシ２１ａ及び右歯ブラシ２１ｂと中間歯ブラシ１１がヒンジ１３ａ、１３ｂで結束されて歯ブラシが自然に広がった状態で一部切開した図面である。
【図５ｂ】図５ａにおいて手で中間歯ブラシハンドル１を取って左歯ブラシハンドル２ａ及び右歯ブラシハンドル２ｂを指で押して狭めて左歯ブラシと右歯ブラシとの間隔がより狭められた状態作動図面である。
【図５ｃ】図５ｂで左歯ブラシと右歯ブラシとの間隔がより狭められて互いに接触状態作動図面である。
【図６ａ】図５ａのギア２２ａ、２２ｂ装置で左歯ブラシハンドル２ａ及び右歯ブラシハンドル２ｂが最大に広がってギア突起２７ａ、２７ｂの隙間が完全についてこれ以上広がらない状態Ｂ部拡大図である。
【図６ｂ】図５ｃのギア２２ａ、２２ｂ装置で左歯ブラシハンドル２ａ及び右歯ブラシハンドル２ｂが当接してこれ以上狭められない状態でギア２２ａ、２２ｂ装置の隙間が最大に大きくなったＣ部拡大図である。
【図７】左歯ブラシ２１ａ及び右歯ブラシ２１ｂが中間歯ブラシ１１に狭められる作動で中間歯ブラシ刷毛１２及び左ブラシ刷毛２３ａ及び右ブラシ刷毛２３ｂ部位の拡大図である。
【図８】図７で中間ブラシ刷毛１２、１２ａ、１２ｂを保護するための左、右ブラシ刷毛禁止区域１００ａと左ブラシ刷毛２３ａ及び右ブラシ刷毛２３ｂを保護するための中間ブラシ刷毛禁止区域１００ｂの説明図である。
【図９ａ】中間歯ブラシ１１の中心線方向で見た中間歯ブラシ１１を保護するための左、右ブラシ刷毛禁止区域１００ｃの説明図である。
【図９ｂ】左ブラシ刷毛２３ａ及び右ブラシ刷毛２３ｂの中心方向で見た中間ブラシ刷毛１２、１２ａ、１２ｂを保護するための左、右ブラシ刷毛禁止区域１００ａと左ブラシ刷毛２３ａ及び右ブラシ刷毛２３ｂを保護するための中間ブラシ刷毛禁止区域１００ｂ、そして中間歯ブラシ１１を保護するための左、右ブラシ刷毛禁止区域１００ｃの説明図である。
【図９ｃ】中間ブラシ刷毛１２の中心線方向で見た左、右ブラシ刷毛禁止区域１００ａと中間ブラシ刷毛禁止区域１００ｂの説明図である。
【図９ｄ】中間歯ブラシ１１の斜視図で見た左右ブラシ刷毛禁止区域１００ａ、１００ｃの説明図である。
【図９ｅ】左歯ブラシ２１ａ及び右歯ブラシ２１ｂの斜視図で見た中間ブラシ刷毛禁止区域１００ｂの説明図である。
【図９ｆ】中間歯ブラシ１１と左歯ブラシ２１ａ及び右歯ブラシ２１ｂはそれぞれ一つ以上の複数で拡張可能で、禁止区域１００ａと１００ｂもそれによって拡張されることを説明する図である。
【図１０】左歯ブラシ及び右歯ブラシ、左ブラシ刷毛及び右ブラシ刷毛との作動中の干渉を防止するための中間歯ブラシ１１に形成されている余裕溝（凹まれた部分：１２０ａ、１２０ｂは左右ブラシ刷毛２３ａ、２３ｂとの干渉防止余裕溝１１０ａ、１１０ｂは左右歯ブラシ２１ａ、２１ｂとの干渉防止余裕溝）の斜視図である。
【図１１】左ブラシ刷毛２３ａ及び右ブラシ刷毛２３ｂと中間歯ブラシ中心線、そして中間ブラシ刷毛１２ａ、１２ｂは互いに直角を成していることを説明する図である。
【図１２】奥歯の上端で見た左歯ブラシ２１ａ及び右歯ブラシ２１ｂと中間歯ブラシ１１の使用中作動説明図である。
【図１３】歯７０ａ、７０ｂの全体及び６面を同時に磨く本発明による通常の振動装置１８０をさらに含む歯ブラシの使用中の斜視図である。
【図１４ａ】図１３の本発明による通常の振動装置１８０をさらに含む歯ブラシ分解斜視図である。
【図１４ｂ】中間歯ブラシハンドル１０ａと分離される中間歯ブラシ１１と左歯ブラシ２１ａ及び右歯ブラシ２１ｂの結束体が分離された本発明による通常の振動装置１８０をさらに含む歯ブラシ斜視図である。
【図１５ａ】中間歯ブラシハンドル１０ａと、中間歯ブラシ１１と左歯ブラシ２１ａ及び右歯ブラシ２１ｂの結束体が合体された本発明による通常の振動装置１８０をさらに含む歯ブラシ斜視図である。
【図１５ｂ】図１５ａにおいて手で中間歯ブラシハンドル１０ａを取って左歯ブラシハンドル２ａ及び右歯ブラシハンドル２ｂを指で押して狭めて左歯ブラシ２１ａ及び右歯ブラシ２１ｂの間隔がより狭められた状態作動斜視図である（左歯ブラシ及び右歯ブラシが部分切開されている）。
【図１５ｃ】図１５ｂで左歯ブラシ２１ａ及び右歯ブラシ２１ｂの間隔がより狭められて左ブラシ刷毛２３ａ及び右ブラシ刷毛２３ｂが互いに接触状態作動中の歯ブラシ斜視図である。
【図１６】図１５ａで振動板１５部位の断面図Ａ−Ａ`、中間歯ブラシハンドル１０ａの中間部位断面図Ｂ−Ｂ`、左歯ブラシヒンジシャフト２４ａ及び右歯ブラシヒンジシャフト２４ｂ部位の断面図Ｃ−Ｃ`である。
【図１７】歯７０ａ、７０ｂの全体及び６面を同時に磨く本発明による通常の振動装置１８０をさらに含み、左歯ブラシ２１ａ及び右歯ブラシ２１ｂを結束リング５で結合した歯ブラシの使用中の斜視図である。
【図１８】図１７で歯ブラシ結束体（中間歯ブラシと左歯ブラシ及び右歯ブラシ束）を中間歯ブラシハンドル１０ｂから分離した本発明による歯ブラシ斜視図である。
【図１９ａ】図１８において結束リング５で結合した左歯ブラシ２１ａ及び右歯ブラシ２１ｂの結合体から結束リング５ａ、５ｂを分解した斜視図である。
【図１９ｂ】図１９ａにおいて結束リング５で結合した左歯ブラシ２１ａ及び右歯ブラシ２１ｂの結合体から結束リング５ａ、５ｂを組み立てた斜視図である。
【図２０ａ】本発明による通常の振動装置１８０をさらに含みながら、左歯ブラシ２１ａ及び右歯ブラシ２１ｂを結束リング５で結合した歯ブラシであって、歯ブラシ結束体（中間歯ブラシと左歯ブラシ及び右歯ブラシ束）を中間歯ブラシハンドル１０ｂから結合した歯ブラシ斜視図である。
【図２０ｂ】図２０ａにおいて手で中間歯ブラシハンドル１０ｂを取って左歯ブラシハンドル２ａ及び右歯ブラシハンドル２ｂを指で押して狭めて左歯ブラシと右歯ブラシとの間隔がより狭められた状態作動斜視図である。
【図２１ａ】通常の振動装置１８０をさらに含み、左歯ブラシ２１ａ及び右歯ブラシ２１ｂを分離可能な本発明による歯ブラシ平面図である。
【図２１ｂ】通常の振動装置１８０をさらに含み、分離可能な左歯ブラシ２１ａ及び右歯ブラシ２１ｂの下端をリング５で結束した本発明による歯ブラシ平面図である。
【図２１ｃ】通常の振動装置１８０をさらに含み、分離可能な左歯ブラシ２１ａ及び右歯ブラシ２１ｂの下端をリング５で結束して、２節リンク型連結棒とヒンジ、スプリング３ａ、３ｂ、ギア２２ａ、２２ｂをさらに含んで組み合わせた応用実施例を示す本発明による歯ブラシ平面図である。
【図２１ｄ】左歯ブラシ及び右歯ブラシの一端に振動装置１８０をさらに備えた応用実施例を示した本発明による歯ブラシ平面図である。
【図２１ｅ】左歯ブラシ２１ａ及び右歯ブラシ２１ｂまたはブラシ刷毛２３ａ、２３ｂの列を４つで構成した応用実施例を示した本発明による歯ブラシ平面図（即ち、応用実施すれば一つまたはその以上の複数で必要によって配列することができることを示す）。
【図２１ｆ】スプリング４ａ、４ｂの役割を兼ねる連結棒４１ａ、４１ｂとヒンジ４２ａ、４２ｂをさらに備えた応用実施例を示した本発明による歯ブラシ斜視図である。
【図２１ｇ】スプリング３、３ａ、３ｂの代わりに弾性を有するゴムボール３１を備えてスプリングの役割を果たすことができるようにする本発明による歯ブラシの応用実施例である。
【図２１ｈ】別途に備えたスプリング３、３ａ、３ｂの代わりに左歯ブラシ及び右歯ブラシの一側を延ばして弾性を有するスプリング構造を形成したハンドル一体スプリング３２ａ、３２ｂを備えてスプリングの役割を果たすことができる本発明による歯ブラシ応用実施例である。
【図２１ｉ】中間歯ブラシ、左歯ブラシ及び右歯ブラシをスライダーとスプリングで一体に構成し、中間歯ブラシハンドルに内在された通常の振動装置をシャフトで結束し、左歯ブラシ及び右歯ブラシは歯ブラシハンドルで押して作動することができるようにする本発明による歯ブラシ応用実施例である。
【図２１ｊ】図２１ｉに装着された中間歯ブラシ、左歯ブラシ及び右歯ブラシをスライダーとスプリングで一体に構成した部分をその構造を分かりやすく分解した斜視図である。
【図２１ｋ】中間歯ブラシ、左歯ブラシ及び右歯ブラシをスライダーとスプリングで一体に構成し、左歯ブラシ及び右歯ブラシハンドルに内在された通常の振動装置を左歯ブラシ及び右歯ブラシの一側に形成されたシャフトで結束して、左歯ブラシ及び右歯ブラシはシャフトの結束で歯ブラシハンドルで押して作動することができるようにする本発明による歯ブラシ応用実施例である。
【図２２】左歯ブラシと右歯ブラシが中間歯ブラシから同じ角度で広がったり閉じられたりするように左歯ブラシと右歯ブラシの両側を連結する連結棒（リンク）の一方のヒンジ４２ａ、４２ｂを結束する移送台４３、４３ａ、４３ｂと移送台復元スプリング３ｅをさらに備えて、左歯ブラシ及び右歯ブラシがより柔らかくて作動するようにする本発明による歯ブラシ応用実施例である。
【図２３】図２２の移送台と内部スィッチバッテリーモジュールなどの部品連結を分かりやすく分解した斜視図である。
【図２４】図２２の移送台４３がスプリング３ｅによって自然に押し上げられて左歯ブラシ及び右歯ブラシの広げた状態で保持するようにする斜視図である。
【図２５】図２４の左歯ブラシ及び右歯ブラシを手で押して移送台４３がスプリング３ｅの弾性を圧縮して左歯ブラシ及び右歯ブラシが中間歯ブラシとの接触状態を表示する斜視図である。
【図２６】図２４で移送台及び中間歯ブラシハンドルを切開して内部結合状態を示す一部切開断面斜視図である。
【図２７】図２６の部分切開部分を拡大して示した図である。
【図２８】図２２でバッテリーモジュールを結合または分離して除去することができるようにする斜視図である。
【図２９】図２２の本発明による歯ブラシをバッテリーモジュールと結合した状態で外部バッテリー充電電源装置とドッキングして充電することができるようにすることを示す図である。
【図３０】図２２の本発明による歯ブラシに用いられることができる分離されたバッテリーモジュールのみを外部バッテリー充電電源装置と電極端子に直接ドッキングして充電することができるようにすることを示す図である。
【図３１】左歯ブラシ及び右歯ブラシと中間歯ブラシの模様とブラシ刷毛の配置によって変化する中間ブラシ刷毛保護のための左、右ブラシ刷毛禁止区域１００ａ、左、右ブラシ刷毛保護のための中間ブラシ刷毛禁止区域１００ｂ、中間歯ブラシ保護のための左、右ブラシ刷毛禁止区域１００ｃの説明図である。
【図３２】左歯ブラシ及び右歯ブラシと中間歯ブラシの模様とブラシ刷毛配置によって変化する中間ブラシ刷毛保護のための左、右ブラシ刷毛禁止区域１００ａ、左、右ブラシ刷毛保護のための中間ブラシ刷毛禁止区域１００ｂ、中間歯ブラシ保護のための左、右ブラシ刷毛禁止区域１００ｃの説明図である。
【図３３】左歯ブラシ及び右歯ブラシと中間歯ブラシの模様とブラシ刷毛配置によって変化する中間ブラシ刷毛保護のための左、右ブラシ刷毛禁止区域１００ａ、左、右ブラシ刷毛保護のための中間ブラシ刷毛禁止区域１００ｂ、中間歯ブラシ保護のための左、右ブラシ刷毛禁止区域１００ｃの説明図である。
【発明を実施するための形態】
【００３０】
以下では本発明の好ましい実施例を添付図面を参照して詳しく説明する。ただ、本発明の思想が提示される実施例に制限されず、一発明の思想を理解する当業者は同じ思想の範囲内で、構成要素の付加、変更、削除、追加などによって他の実施例を容易に提案することができるが、これも本発明の思想の範囲に属するとすべきである。
【００３１】
即ち、図１〜図１２を参照すれば、図１のように、本発明による歯ブラシは使用者が中間歯ブラシ１１の中間歯ブラシハンドル１、１０ａ、１０ｂ、１０ｃを取って左歯ブラシ２１ａのハンドル２ａ及び右歯ブラシ２１ｂのハンドル２ｂを親指と残り指で（使用者の手を一点鎖線で表示）で圧力を加えれば左歯ブラシ２１ａのブラシ刷毛２３ａ及び右歯ブラシ２１ｂのブラシ刷毛２３ｂは歯７０ａ、７０ｂの上下両側面に接触し、同時に歯７０ａ、７０ｂを閉じれば歯７０ａ、７０ｂの下、上底は中間歯ブラシ刷毛１２、１２ａ、１２ｂに接触しながら、図のように、歯７０ａ、７０ｂの６面（即ち図２で上歯の左、右側面の２ヶ所７０ｉｉ、７０ｉｉｉ、下歯の左、右側面の２ヶ所７０ｘ、７０ｘｉ、上歯、下歯の上下底の２ヶ所７０ｉ、７０ｉｘ）を同時に磨くことができるようにする。
【００３２】
即ち、使用者が本発明の歯ブラシを手で圧力を加えて握って歯７０ａ、７０ｂを閉じる単一動作で歯７０ａ、７０ｂの６面（図２：７０ｉｉ、７０ｉｉｉ、７０ｘ、７０ｘｉ、７０ｉ、７０ｉｘ）を同時に磨くことができるようにする。
【００３３】
前記のこのような動作で左歯ブラシ２１ａ及び右歯ブラシ２１ｂは中間歯ブラシ１１の中間歯ブラシハンドル１から一体に形成された両ヒンジ１３ａ、１３ｂと連結されて一節リング５、５ａ、５ｂのように所定軌道のみで動作し、図１１のように、中間歯ブラシ１１の中心線及び中間ブラシ刷毛１２、１２ａ、１２ｂの中心線に直角で会い、また中間歯ブラシ１１に対して、図５ａ〜図６ｂのように、左歯ブラシ２１ａ及び右歯ブラシ２１ｂはギア２２ａ、２２ｂの作動で互いに同じ角度で近接または広がるようにし、また、図６ａ、６ｂのように、ギア突起２７ａ、２７ｂの隙間の役割としてハンドル２ａ、２ｂが所定角度以上広がることを防止するようになる。
【００３４】
図２を参照すれば、図１の本発明による歯ブラシが歯７０ａ、７０ｂの６面に接触して磨くことができることを示す図であり、即ち、上歯の左側面７０ｉｉ、右側面７０ｉｉｉ、底面７０ｉ、そして下歯左側面７０ｘ、右側面７０ｘｉ、上底面７０ｉｘなど総６面の接触を示す。
【００３５】
図３を参照すれば、図１の作動斜視図で示す歯ブラシの全ての部品を分解して中間歯ブラシ１１、左歯ブラシ２１ａ及び右歯ブラシ２１ｂの３つが互いにスプリング３、３ａ、３ｂとギア２２ａ、２２ｂ、ヒンジ１３ａ、１３ｂ  などを連結組み合わせて作動可能にした実施例を示す。
【００３６】
図４ａ、４ｂ及び図５ａ、５ｂ、５ｃを参照すれば、図１で一部を切開して左歯ブラシ２１ａ及び右歯ブラシ２１ｂが広がったり狭められたりする時、スプリング３、３ａ、３ｂとギア２２ａ、２２ｂ、ヒンジ１３ａ、１３ｂの動作を理解することができるようにした。
【００３７】
図６ａ、６ｂを参照すれば、図５ａ、５ｃでハンドル２ａ、２ｂが広がった時ギア２２ａ、２２ｂ部分Ｂ部分と、狭められた時ギア２２ａ、２２ｂ部分Ｃ部分を拡大してギア２２ａ、２２ｂの動作で左、右両ハンドル２ａ、２ｂが中間歯ブラシ１１に対して同じ角度で動き、またギア突起２７ａ、２７ｂの隙間の作用で左ハンドル２ａ及び右ハンドル２ｂは所定角度広げば、それ以上広がらないようにする作用もする。
【００３８】
図７を参照すれば、左歯ブラシ２１ａ及び右歯ブラシ２１ｂと中間歯ブラシ１１のヘッド部分のみを示す作動で左歯ブラシ刷毛２３ａ及び右歯ブラシ刷毛２３ｂは中間歯ブラシ刷毛１２、１２ａ、１２ｂと互いに干渉せずに作動するようになることを示した。
【００３９】
上記の干渉なく作動するために必要な具備要件を、図８〜図９ａ乃至図９ｆを参照して説明すれば、本発明による歯ブラシは、ブラシ刷毛２３ａ、２３ｂが互いにぶつからないで作動するためには、大きく３種のブラシ刷毛２３ａ、２３ｂの保護領域がある。第一は中間ブラシ刷毛１２、１２ａ、１２ｂを保護するための左、右ブラシ刷毛禁止区域１００ａと、第二は、左ブラシ刷毛２３ａ及び右ブラシ刷毛２３ｂを保護するための中間ブラシ刷毛禁止区域１００ｂ、第三、中間歯ブラシ１１を保護するための左、右ブラシ刷毛禁止区域１００ｃがある。
【００４０】
図８によれば、一般的に見れば、左歯ブラシ２１ａ及び右歯ブラシ２１ｂが中間歯ブラシ１１の左右側面で直角に配置作動されて狭められて近付く時互いに９０度の角度で会う最終位置でぶつかるしかない。このような干渉を無くすためには、それぞれのブラシ刷毛は、所定領域にはブラシ刷毛を配置しないことによって、互いに干渉しないで円滑に作動するようになる。まず、左歯ブラシ２１ａ及び右歯ブラシ２１ｂでは禁止区域１００ａにブラシ刷毛２３ａ、２３ｂを配置しないことにより中間ブラシ刷毛との干渉を防ぎ、中間歯ブラシ１１は左ブラシ刷毛２３ａ及び右ブラシ刷毛２３ｂが作動することができる領域を避けて禁止区域１００ｂにブラシ刷毛１２、１２ａ、１２ｂを配置しないことにより、相互干渉を避けることができる。そして、透視位置を少し変えて、図９ａのように、中間歯ブラシ１１の中心線上で見れば中間歯ブラシ１１の左、右側面も左歯ブラシ２１ａ及び右歯ブラシ２１ｂのブラシ刷毛２３ａ、２３ｂの配置を避けてこそその側面にぶつからないで作動することができる。この禁止区域は中間歯ブラシ１１の保護のための左、右ブラシ刷毛禁止区域１００ｃである。
【００４１】
図９ｂ、９ｃ、９ｄ、９ｅはこのような禁止区域が分かりやすく透視位置を変えて図示した。
【００４２】
図９ｆは前記中間歯ブラシ１１と左歯ブラシ２１ａ及び右歯ブラシ２１ｂはその数字をより増設したり減らしたりすることができることを示す。
【００４３】
図１０を参照すれば、本発明による歯ブラシで、左歯ブラシ２１ａ及び右歯ブラシ２１ｂ及びブラシ刷毛２３ａ、２３ｂとの作動中の干渉をより減らすために中間歯ブラシ１１には左歯ブラシ２１ａ及び右歯ブラシ２１ｂまたはブラシ刷毛２３ａ、２３ｂが近付く部位に凹設された余裕溝１２０ａ、１２０ｂ、１１０ａ、１１０ｂを形成すればより効果的である。
【００４４】
図１１を参照すれば、左歯ブラシ２１ａ及び右歯ブラシ２１ｂは作動過程で、中間歯ブラシ１１の中心線及び中間ブラシ刷毛１２、１２ａ、１２ｂの中心線に直角で交わることを説明する図である。
【００４５】
図１２は本発明による歯ブラシを奥歯の上端で見た歯磨きする歯ブラシと歯７０ａ、７０ｂの接触を示し、左歯ブラシ２１ａ及び右歯ブラシ２１ｂと中間歯ブラシ１１はそれぞれブラシ刷毛２３ａ、２３ｂと中間歯ブラシ１１の中心線が直角を成して交わることを示す。
【００４６】
図１３を参照すれば、図１の本発明による歯ブラシで本発明による振動装置１８０をさらに含む歯ブラシを利用する歯磨きを示す。
【００４７】
図１４ａはこれを分解した詳しい部品の実施例を示す。
【００４８】
図１４ｂを参照すれば、中間歯ブラシハンドル１０ａと分離することができる中間歯ブラシ１１と左歯ブラシ２１ａ及び右歯ブラシ２１ｂの結束体を示す。
【００４９】
図１５ａ、１５ｂ、１５ｃを参照すれば、外部の力を加えない自然状態で歯ブラシは図１５ａのように左歯ブラシ連結棒４１ａ及び右歯ブラシ連結棒４１ｂの弾性スプリング５、５ａ、５ｂ、４ａ、４ｂの役割によって広がっている。これを手で中間歯ブラシハンドル１０ａを取って少しずつ力を加えれば、図１５ｂ〜図１５ｃの状態で左ブラシ刷毛２３ａ及び右ブラシ刷毛２３ｂは漸次に接触して歯７０ａ、７０ｂと接触して磨くことができるように狭められる。
【００５０】
上記のように、本発明による振動装置１８０をさらに含む歯ブラシで中間歯ブラシと結束された振動装置の振動を左歯ブラシ２１ａ及び右歯ブラシ２１ｂに伝達したり、図２１ｄのように、左歯ブラシ２１ａ及び右歯ブラシ２１ｂに振動装置が設置されたりした場合、左歯ブラシ２１ａ及び右歯ブラシ２１ｂの振動を中間歯ブラシに相互間伝達するために、図１６を参照すれば、断面図Ａ−Ａ`のように、左歯ブラシ２１ａ及び右歯ブラシ２１ｂが所定角度以上狭められれば中間歯ブラシ振動板１５の振動結束溝１７ａ、１７ｂに左歯ブラシ２１ａ及び右歯ブラシ２１ｂの左歯ブラシ２１ａの棒及び右歯ブラシ２１ｂの棒が挿入されながら、振動装置１８０の振動運動が中間歯ブラシ振動板１５を通じて伝達される。
【００５１】
図１４ｂを参照すれば、左右歯ブラシと中間歯ブラシ１１は左歯ブラシ連結棒４１ａ及び右歯ブラシ連結棒４１ｂにヒンジ４２ａ、４２ｂで結束されて一体に分離される。この過程は、使用者が中間歯ブラシ１１を取って中間歯ブラシハンドルシャフト１８１から分離すれば、左歯ブラシ２１ａ及び右歯ブラシ２１ｂはその下端にあるヒンジシャフト２４ａ、２４ｂが中間歯ブラシハンドル１０ａにある結合レール溝１０１ａ、１０１ｂから抜け出て分離され、同じく、反対に他の使用者の他の中間歯ブラシ１１、左歯ブラシ２１ａ及び右歯ブラシ２１ｂの結束体を中間歯ブラシハンドル１０ａに挟んで用いることができるようにした。
【００５２】
図１７を参照すれば、図１の本発明による歯ブラシにおいて、中間歯ブラシハンドル１０ｂの内部には振動装置１８０をさらに備え、また、左歯ブラシ２１ａ及び右歯ブラシ２１ｂの下端を結束するリング５をさらに備える本発明による歯ブラシである。
【００５３】
即ち、前記図１７のリング５の結束体と中間歯ブラシハンドルを分離した図１８を参照すれば、左歯ブラシ２１ａ及び右歯ブラシ２１ｂをもう一度リング５で結合して、使用者がより便利に中間歯ブラシハンドル１０ａから分離して立てて保管することができるようにした。
【００５４】
前記リング５をより理解するために、図１９ａは結束された中間歯ブラシと左歯ブラシ２１ａ及び右歯ブラシ２１ｂの結合体でリング５、５ａ、５ｂを分解して示し、図１９ｂはリング５を結合組立てた斜視図である。
【００５５】
図２０ａは図１７の本発明による歯ブラシが自然に広がった状態を示し、図２０ｂは図２０ａにおいて手で中間歯ブラシハンドル１０ｂを取って左歯ブラシハンドル２ａ及び右歯ブラシハンドル２ｂを指で押して狭めて左歯ブラシと右歯ブラシとの間隔がより狭められた状態を示す作動図である。
【００５６】
図２１ａは図１ｂの本発明の通常の振動装置１８０をさらに含み、中間歯ブラシ１１と左歯ブラシ２１ａ及び右歯ブラシ２１ｂを一つに結合して作動するようにする結束手段を備えた、歯ブラシ結束体が分離可能な本発明による歯ブラシ実施例を示した平面図である。
【００５７】
図２１ｂは図１８の通常の振動装置１８０をさらに含み、分離可能な中間歯ブラシ１１と左歯ブラシ２１ａ及び右歯ブラシ２１ｂの結束体の下端をリング５で結束してより容易に分離して立てて保管することができるようにする、本発明による歯ブラシ実施例を示した平面図である。
【００５８】
図２１ｃは図１７の通常の振動装置１８０をさらに含み、分離可能な中間歯ブラシ１１と左歯ブラシ２１ａ及び右歯ブラシ２１ｂの結束体の下端をリング５で結束した本発明による歯ブラシで連結棒４１ａ、４１ｂを２ヶ所ヒンジ４２ａ、４２ｂで結束し、別途にスプリング３ａ、３ｂを装置して、左歯ブラシギア２２ａ及び右歯ブラシギア２２ｂを装置した本発明による歯ブラシ実施例を示した平面図である。
【００５９】
図２１ｄは前記図２１ａまたは図２１ｂまたは図２１ｃの実施例で左歯ブラシ及び右歯ブラシの一側に振動装置１８０をさらに含んで応用することができることを表現する本発明による歯ブラシ実施例を示した平面図である。
【００６０】
図２１ｅは図９ｆで表現した左歯ブラシ２１ａ及び右歯ブラシ２１ｂまたは中間歯ブラシ刷毛１２ａ、１２ｂの列の数を増減可能で、これを４つで構成した例を示した図で、応用すれば、一つまたはその以上の複数で必要によって配列することができることを示す本発明による応用された歯ブラシ実施例を説明している。
【００６１】
図２１ｆは図１、図３の本発明による歯ブラシで別途に備えたスプリング３、３ａ、３ｂの代わりに連結棒４１ａ、４１ｂとヒンジ４２ａ、４２ｂで中間歯ブラシ１１と左歯ブラシ２１ａ及び右歯ブラシ２１ｂを結束して前記連結棒４１ａ、４１ｂの一側が弾性を有するスプリング４ａ、４ｂの役割を果たすようにする本発明による応用された歯ブラシ実施例を説明している。
【００６２】
図２１ｇは図１、図３の本発明による歯ブラシでスプリング３、３ａ、３ｂの代わりに弾性を有するゴムボール３１を備えてスプリングの役割を果たすことができるようにする本発明による歯ブラシの応用実施例を説明している。
【００６３】
図２１ｈは図１、図３の本発明による歯ブラシで別途に備えたスプリング３、３ａ、３ｂの代わりに左歯ブラシ及び右歯ブラシの一側を延長して弾性を有する構造に形成したハンドル一体スプリング３２ａ、３２ｂを備えてスプリングの役割を果たすことができる本発明による歯ブラシの応用実施例を説明している。これを再び応用すれば、中間歯ブラシの中間歯ブラシハンドルの一側にも上のように中間歯ブラシハンドルと一体になったスプリングを形成可能であることを容易に理解することができる。
【００６４】
図２１ｉを参照すれば、中間歯ブラシ、左歯ブラシ及び右歯ブラシの３つをスライダーピストン２８ａ、２８ｂとスライダーガイド１８で一体に結束して、中間歯ブラシの下端の結束具１６に中間歯ブラシハンドルに内在された通常の振動装置シャフト１８１を挿入して結合、分離及び振動を伝達することができ、左歯ブラシ及び右歯ブラシは歯ブラシハンドル２ａ、２ｂで押してピストンを作動して歯に近付けることができるようにする本発明による歯ブラシ応用実施例を説明している。
【００６５】
図２１ｊを参照すれば。図２１ｉに装着された中間歯ブラシ、左歯ブラシ及び右歯ブラシの３つをスライダーピストン２８ａ、２８ｂとスライダーガイド１８で結束して前記ピストンの復元力に役に立つようにその内部にスプリング３ｂ、３ｃをさらに備えた。ピストン２８ａ、２８ｂはスライドガイド１８の内部に挿入されて直線運動するが、ピストンは大きいピストンと小さいピストンからなり、直径の大きいものの内部孔に小さいピストンが再挿入されて、揺れに対する安全性がより高くなり、その内部にスプリング３ｂ、３ｃを備える。
【００６６】
図２１ｋを参照すれば。中間歯ブラシ、左歯ブラシ及び右歯ブラシの３つをスライダーピストン２８ａ、２８ｂとスライダーガイド１８で一体に結束して、左歯ブラシ及び右歯ブラシハンドルに内在された通常の振動装置１８０及びシャフト結合具１６ａ、１６ｂに左歯ブラシ及び右歯ブラシの一側に形成されたシャフト２０ａ、２０ｂを挿入、結束して結合、分離、及び振動を伝達することができるようにして、左歯ブラシ及び右歯ブラシはシャフトの結束により歯ブラシハンドルで押してピストンを作動することができるようにする本発明による歯ブラシの応用実施例を説明している。
【００６７】
図２２を参照すれば、左歯ブラシ及び右歯ブラシの広がる動作を両連結棒４１ａ、４１ｂを移送台４３とヒンジで結束して移送台の直線運動によって左、右に広がると同時に同じ角度で運動することができるようにした。
【００６８】
図２３を参照すれば、図２２の移送台とスィッチ振動モーターの内部結合部品を分かることができる。ここで、スィッチ８０とスイッチフレーム８１及びバッテリーモジュール９などの部品は手動歯ブラシに適用する時は必要のない部品で、電動歯ブラシに利用する時は必須構成要素になる。
【００６９】
図２４では、移送台４３はその内部に位置するスプリングの弾性で自然に広がった状態を保持するようになる。
【００７０】
図２５では、使用者が手で中間歯ブラシハンドルを取って指で左歯ブラシ及び右歯ブラシを軽く握ればその圧力でスプリングを弾性的に押して左歯ブラシ及び右歯ブラシが中間歯ブラシに互いに接触するようになる。
【００７１】
図２６は、自然に広がった状態の本発明による歯ブラシの移送台４３と中間歯ブラシハンドル１０ｄ、スイッチフレーム８１部分を広げたり切開したりした断面を示した図で、連結棒４１ａ、４１ｂと移送台４３そしてスプリング３ｅの連結関係を示す。
【００７２】
図２７は特に図２６の中心切開部を拡大した図で、この状態で左歯ブラシ及び右歯ブラシを使用者が手で押せば、連結棒４１ａ、４１ｂは移送台４３を右側に押してスプリングは圧縮され、移送台の一側斜面がスィッチボタン８０ａを押してスィッチ８０をオンにして振動モーター１８０が振動し、その高周波振動は中間歯ブラシは勿論、連結棒を通じて左歯ブラシ及び右歯ブラシにも伝達されるようにする。
【００７３】
図２８は、左歯ブラシ及び右歯ブラシと中間歯ブラシの３つが結合された歯ブラシ本体からバッテリーモジュール９を除去すれば手動歯ブラシになり、電動歯ブラシとして用いる場合にはバッテリーモジュールを分離或いは結合することができるようにする本発明による歯ブラシの応用実施例を説明している。
【００７４】
図２９は、バッテリーモジュール９を結合した状態でバッテリー充填装置と結合して充填することができる使用例を示す。
【００７５】
図３０は、バッテリーモジュール９のみを分離してバッテリー充填装置と結合して充填することができる使用例を説明している。
【００７６】
図３１は、左歯ブラシ及び右歯ブラシと中間歯ブラシの刷毛の２列以上の束形態で禁止区域を形成した場合の例を示す。
【００７７】
図３２、図３３は形態が互いに異なる左歯ブラシ及び右歯ブラシまたは中間歯ブラシの刷毛が１列ずつ禁止区域を形成した場合の例を示した。
【符号の説明】
【００７８】
１、１０ａ、１０ｂ、１０ｃ：中間歯ブラシハンドル（本体）
１１：中間歯ブラシ
１２、１２ａ、１２ｂ：中間ブラシ刷毛
１３ａ、１３ｂ：左右ヒンジ
１４：中間歯ブラシ棒
１５、１５ａ、１５ｂ：振動板
１６、１６ａ、１６ｂ：シャフト結合具
１７ａ、１７ｂ：振動結束溝
１８：ピストンガイド
２ａ：左歯ブラシハンドル
２ｂ：右歯ブラシハンドル
２０ａ、２０ｂ：結束シャフト
２１ａ：左歯ブラシ
２１ｂ：右歯ブラシ
２２ａ：左歯ブラシギア
２２ｂ：右歯ブラシギア
２３ａ：左ブラシ刷毛
２３ｂ：右ブラシ刷毛
２４ａ：左歯ブラシヒンジシャフト
２４ｂ：右歯ブラシヒンジシャフト
２５ａ：左歯ブラシ棒
２５ｂ：右歯ブラシ棒
２６ａ、２６ｂ：ヒンジ連結具
２７ａ、２７ｂ：ギア突起
２８ａ、２８ｂ：スライダーピストン
２９ａ、２９ｂ：（スライダー）ピストン摘み
３、３ａ、３ｂ、３ｃ、３ｄ．３ｅ：スプリング
３１：弾性ゴムボール
３２ａ、３２ｂ：左右歯ブラシの一側に形成したハンドル復元スプリング
４ａ、４ａａ、４ｂ、４ｂｂ：弾性スプリング
４１ａ、４１ａａ：左歯ブラシ連結棒
４１ｂ、４１ｂｂ：右歯ブラシ連結棒
４２ａ、４２ｂ：連結棒ヒンジ
４２ｃ、４２ｃｃ：ヒンジ結束具
４２ｄ、４２ｄｄ：ヒンジ結束ボルト
４５：ベアリング
５、５ａ、５ｂ：左歯ブラシ及び右歯ブラシ結束リング
５３ａ：左歯ブラシヒンジ
５３ｂ：右歯ブラシヒンジ
７０ａ：上歯
７０ｂ：下歯
７０ｉ：上歯下側面
７０ｉｉ：上歯内側面
７０ｉｉｉ：上歯外側面
７０ｉｖ：下歯上側面
７０ｖ：下歯内側面
７０ｖｉ：下歯外側面
８０：スィッチ
８０ａ：スィッチボタン
８１：スイッチフレーム
８２ａ、８２ｂ：弾性絶縁リング（ゴムリング）
８３：陽（＋）電極板
８４：陰（−）電極板
８４ａ：バッテリーモジュール結束突起
９：バッテリーモジュール
９１：バッテリーモジュール防水ゴム
９２ａ、９２ｂ：バッテリー充電電源装置
１００ａ：中間ブラシ刷毛１２、１２ａ、１２ｂを保護するための左、右ブラシ刷毛禁止区域
１００ｂ：左ブラシ刷毛２３ａ及び右ブラシ刷毛２３ｂを保護するための中間ブラシ刷毛禁止区域
１００ｃ：中間歯ブラシ１１を保護するための左、右ブラシ刷毛禁止区域
１０１ａ、１０１ｂ：左歯ブラシ及び右歯ブラシヒンジシャフト結合レール溝
１１０ａ、１１０ｂ：側面歯ブラシ棒余裕溝
１２０ａ、１２０ｂ：側面歯ブラシ刷毛余裕溝
１８１：振動装置シャフト
１８０：振動装置
【図１】
2017530812.tif 000003
【図２】
2017530812.tif 000004
【図３】
2017530812.tif 000005
【図４ａ】
2017530812.tif 000006
【図４ｂ】
2017530812.tif 000007
【図５ａ】
2017530812.tif 000008
【図５ｂ】
2017530812.tif 000009
【図５ｃ】
2017530812.tif 000010
【図６ａ】
2017530812.tif 000011
【図６ｂ】
2017530812.tif 000012
【図７】
2017530812.tif 000013
【図８】
2017530812.tif 000014
【図９ａ】
2017530812.tif 000015
【図９ｂ】
2017530812.tif 000016
【図９ｃ】
2017530812.tif 000017
【図９ｄ】
2017530812.tif 000018
【図９ｅ】
2017530812.tif 000019
【図９ｆ】
2017530812.tif 000020
【図１０】
2017530812.tif 000021
【図１１】
2017530812.tif 000022
【図１２】
2017530812.tif 000023
【図１３】
2017530812.tif 000024
【図１４ａ】
2017530812.tif 000025
【図１４ｂ】
2017530812.tif 000026
【図１５ａ】
2017530812.tif 000027
【図１５ｂ】
2017530812.tif 000028
【図１５ｃ】
2017530812.tif 000029
【図１６】
2017530812.tif 000030
【図１７】
2017530812.tif 000031
【図１８】
2017530812.tif 000032
【図１９ａ】
2017530812.tif 000033
【図１９ｂ】
2017530812.tif 000034
【図２０ａ】
2017530812.tif 000035
【図２０ｂ】
2017530812.tif 000036
【図２１ａ】
2017530812.tif 000037
【図２１ｂ】
2017530812.tif 000038
【図２１ｃ】
2017530812.tif 000039
【図２１ｄ】
2017530812.tif 000040
【図２１ｅ】
2017530812.tif 000041
【図２１ｆ】
2017530812.tif 000042
【図２１ｇ】
2017530812.tif 000043
【図２１ｈ】
2017530812.tif 000044
【図２１ｉ】
2017530812.tif 000045
【図２１ｊ】
2017530812.tif 000046
【図２１ｋ】
2017530812.tif 000047
【図２２】
2017530812.tif 000048
【図２３】
2017530812.tif 000049
【図２４】
2017530812.tif 000050
【図２５】
2017530812.tif 000051
【図２６】
2017530812.tif 000052
【図２７】
2017530812.tif 000053
【図２８】
2017530812.tif 000054
【図２９】
2017530812.tif 000055
【図３０】
2017530812.tif 000056
【図３１】
2017530812.tif 000057
【図３２】
2017530812.tif 000058
【図３３】
2017530812.tif 000059
【国際調査報告】
2017530812.tif 000060
2017530812.tif 000061
2017530812.tif 000062
2017530812.tif 000063
2017530812.tif 000064
2017530812.tif 000065